【手続補正書】
【提出日】平成17年8月3日(2005.8.3)
【手続補正１】
【補正対象書類名】明細書
【補正対象項目名】全文
【補正方法】変更
【補正の内容】
【書類名】  明細書
【発明の名称】   磁気治療装身具構成体
【特許請求の範囲】
【請求項１】  磁石を内臓したブラックシリカ粉末と合成樹脂とからなるブラックシリカ樹脂成形体の外面に凹陥部を設け、この凹陥部に金、合金等の宝飾金属を溶融充填又は嵌合充填をし、その表面をブラックシリカ樹脂成形体の外面と同一面又は所要凹凸面に研磨してなる磁気治療装身具構成体。
【請求項２】  磁石はサマリウム・コバルト磁石である請求項１の磁気治療装身具構成体。
【請求項３】  合成樹脂は、熱硬化性樹脂である請求項１又は請求項２の磁気治療装身具構成体。
【発明の詳細な説明】
【０００１】
【発明が属する技術分野】
この発明は、外観の形状、模様が美麗で視覚上の趣向を満足することができるとともに、磁力による治療効果が期待できる、ペンダント、ネックレス、ブレスレット等磁気治療装身具構成体に関するものである。
【０００２】
【従来の技術】
従来、磁気治療具は、磁石を単独で用いたり、連結して用いたりするものであったから治療目的は達成できても、美麗さに欠けるとともに磁力の強さだけによるものであった。
【０００３】
【発明が解決しようとする課題】
この発明は、かかる欠点を解消するもので、外観の形状、模様が美麗で視覚上の趣向を満足させるとともに、磁力による治療効果が期待できるペンダント、ネックレス、ブレスレット等磁気治療装身具構成体の提供にある。
【０００４】
【課題を解決するための手段】
磁石を内蔵し、ブラックシリカ原石微粉の所要量を合成樹脂と混合した後、成形型に入れて電気炉等の加熱炉に入れ加熱し、ブラックシリカ樹脂成形体を成形すると共に、その外面に凹陥部を設け、この凹陥部に金、合金等の宝飾金属を溶融充填又は嵌合充填し、その表面をブラックシリカ樹脂成形体の外面と同一面又は所要凹凸面に研磨し、さらに、必要により塗装等の表面仕上げを適宜加工してなる、ペンダント、ネックレス、ブレスレット等の磁気治療装身具構成体にある。
【０００５】
同様にブラックシリカの代わりにトルマリン原石微粉末を同様に使用しても同様な磁気治療装身具構成体を得る事が出来る。
【０００６】
前記内蔵した磁石はサマリウム・コバルト磁石としてもよいものである。
【０００７】
合成樹脂は熱硬化性樹脂としてもよいものである。
【０００８】    
【発明の実施の形態】
磁石を内蔵し、ブラックシリカ原石微粉の所要量を合成樹脂と混合した後、成形型に入れて電気炉等の加熱炉に入れ加熱硬化し、ブラックシリカ樹脂成形体を形成する。このブラックシリカ樹脂成形体の外面に凹嵌部を設け、この凹嵌部に金、合金等の宝飾金属を溶融充填又は嵌合充填をし、その表面をブラックシリカ樹脂成形体の外面と同一面又は所要凹凸面に研磨し、さらに、必要により塗装等の表面仕上げを適宜加工してなる、ペンダント、ネックレス、ブレスレット等の磁気治療装身具構成体。
【０００９】
【実施例】
以下、この発明の磁気治療装身具構成体を、図面により、磁気治療装身ネックレス構成体１の実施例として説明すると、サマリウム・コバルト磁石等の磁石２を内蔵し、ブラックシリカ原石微粉３を所要量合成樹脂と混合し、所定の成形型に入れ、加熱硬化することによりブラックシリカ樹脂円柱体１ａを成形すると共に、その外面１ａ１に凹嵌部４を設け、この凹嵌部４に金、合金等の宝飾金属５を溶融充填又は嵌合充填をし、その表面５ａをブラックシリカ樹脂円柱体１ａの外面１ａ１と同一面又は所要凹凸面（図示しない）に研磨してなるものである。なお、さらに、必要により塗装等の表面仕上げを適宜加工してもよいものである。
【００１０】
前記磁石２は、サマリウム・コバルト磁石のような希土類磁石に限定するものではなく、フェライト磁石であってもよいものである。
【００１１】
前記磁石２の形状は、前記実施例では、中心にワイヤ通し孔２ａを有する円筒形に形成しているが、その円筒形に限定されないものである。又、中心にワイヤ通し孔２ａについても、連結具を外面に設けることによりワイヤを貫通しない実施例としてもよいのである。
【００１２】
前記ブラックシリカ原石微粉３を構成するブラックシリカは、遠赤外線放射物質として知られ、治療の分野では、腰痛、肩こり、リューマチ、関節炎、神経痛、アトピー皮膚炎に効果があることが知られている。又、産地については、北海道の檜山郡上の国町が知られている。その成分は、炭素5.03％、シリカ81.35%、アルミニウム6.35%、カリウム1.66%、チタン1.18%、二酸化鉄0.53%、マグネシュウム0.45%、ナトリウム0.08%、カルシウム0.02%、水分0.31%である。
【００１３】
前記ブラックシリカ原石微粉３を所要量合成樹脂と混合し、ブラックシリカ樹脂円柱体１ａを成形する製造方法について述べる。前記ブラックシリカ原石を粒子径が1〜10μmの粉末に加工する。このブラックシリカ原石粉末と熱硬化性樹脂として一液性エポキシ樹脂を使用する。すなわち、ブラックシリカ原石粉末0.3gに対して一液性エポキシ樹脂0.9gを混合し混合物を得る。混合の際は50℃程度に加熱しながら行ない、混合後に加熱して軟化させ、この混合物を、予め前記磁石２を収容した成形型に注入し、前記磁石２を混合物中に内蔵させ、且つ、中心にワイヤ通し孔２ａが開口するように手当てをした後、その成形型を電気炉に入れて約170℃で20〜30分間加熱することで磁石２を内蔵し、かつ、磁石２のワイヤ通し孔２ａと通過する本体ワイヤ通し孔１ｂ、１ｂを具えたブラックシリカ樹脂成形円柱体１ａを設けることができる。
【００１４】
このブラックシリカ樹脂成形円柱体１ａの外面には、図３に示すように、成形型によって螺旋形の凹陥部４を形成している。図示しないが、螺旋形の凹陥部４を成形型によらず切削加工等適宜手段によってもよいものである。又、実施例としては、この螺旋形の凹陥部４に限定するものではなく、例えば、環状溝を所定間隔毎に形成しても、又図示しないが、実施例が、ペンダント、ネックレス、ブレスレットであるときには、円柱体型でない扁平円型、楕円型、方形型、それらの組み合わせ型、その他のオリジナルデザイン型と適宜選択できるものである。
【００１５】
前記エポキシ樹脂の他に熱硬化性樹脂の実施例としては、フェノール系樹脂、メラミン系樹脂、尿素系樹脂、ウレタン系樹脂を用いることができる。
【００１６】
次に、図５に示すように、磁気治療装身ネックレスを構成する磁気治療装身ネックレス構成体１をデザイン処理し、例えば図６に示すように、両側に連接凹部６ａを設け、本体ワイヤ通し孔６ｂ、６ｂと連通してなる磁気治療装身ネックレス構成体６を設け、この磁気治療装身ネックレス構成体６を所要個数に加えて、磁気治療装身ネックレス７を製造するもので、図８に示すように、金宝飾大玉８、金宝飾小玉９を配し、又、金宝飾小玉９の間に表面が多区画平面１０ａに形成される金宝飾多面反射大玉１０を配し、又、金宝飾穴開き管体１１をワイヤ１２によって連珠して所要に配し、ワイヤ１２の両端を公知の結束具１３に接続してなるものである。ワイヤ１２と結束具１３の接続に関しては，図示のものに限定するものではない。結束具１３により、身体に装着と脱着とを容易に行えるものである。
【００１７】
次に、図示はしないが、前記ブラックシリカ原石微粉３の代わりにトルマリン原石微粉を熱硬化性樹脂と所要の重量比で混入し、サマリウム・コバルト磁石等の磁石を内臓し、その外面に凹陥部を形成してトルマリン樹脂成形体を設け、このトルマリン樹脂成形体の凹陥部に金、合金等の宝飾金属を溶融充填又は嵌合充填し、その表面をトルマリン樹脂成形体の外面と同一面又は所要凹凸面に研磨してなるものである。勿論、必要により適宜、手段により塗装等の表面仕上げをしてもよいものである。
【００１８】
前記トルマリン原石粉末の粒子径は、0.1〜150μmで選択できるものである。又、トルマリン原石の粉末と熱硬化性樹脂との重量比が2 : 1〜1 :５で選択できるものである。又、外形については、円柱体に限定されるものではなく、その凹陥部の形状についても螺旋形に限定されるものでもなく、又、表面模様、表面宝石施飾、貴金属施飾についても行えるものである。トルマリン原石粉末と熱硬化性樹脂成形体を成形する条件は、前述したブラックシリカ原石と同様な条件で行うことができる。又、トルマリン原石粉末と混合する合成樹脂は、前記熱硬化性樹脂としてブラックシリカ原石で使用したものに限定するものではない。又、単なるトルマリン成形体として成型してよいものである。そして、その後に凹陥部に金、合金等の宝飾金属の溶融充填又は嵌合充填をし、その表面をトルマリン成形体の外面と同一面又は所要凹凸面に研磨してもよく、必要に応じて塗装等の表面仕上げなどの適宜加工してもよいものである。
【００１９】
【発明の効果】
この発明の磁気治療装身構成体は、サマリウム・コバルト磁石等の強力な磁石が内蔵されるから、磁力により装着部位のコリ・血行の治療効果が期待できるものである。又、表層部材は、ブラックシリカ原石微粒子粉末と合成樹脂との成形体であり、ブラックシリカ原石から発する遠赤外線による加温効果と貴金属装身による理学的接触効果および貴金属の形状・模様・光の屈折や反射による煌きなどの視覚的美的効果を奏して健康と美容の増進を図ることができるものである。
【００２０】
よって、この発明の磁気治療装身具構成体は、ペンダント、ネックレス、ブレスレット等広く利用することができ、それらの治療効果に加えて美的商品価値を飛躍的に高めるものである。
【図面の簡単な説明】
【図１】
この発明の磁気治療装身具構成体を磁気治療装身ネックレス構成体とする場合の完成構成体単体の外観図である。
【図２】
同じく、内臓する磁石の実施例を示す正面図である。
【図３】
同じく、構成体単体の製造過程を示す縦断面図である。
【図４】
同じく、完成構成単体の縦断面図である。
【図５】  
市販用にデザイン処理した完成構成体単体の外観図である。
【図６】
同じく、市販用にデザイン処理された完成構成体単体の縦断面図である。
【図７】
同じく、市販用にデザイン処理された完成構成体単体と他の部品と組み合わせて磁気治療装身ネックレスとした実施例の全体を示す外観図である。
【図８】
同じく，その組み合わせ例を拡大して示す部分拡大斜視図である。
【符号の説明】  
１  磁気治療装身ネックレス構成体
１ａ  ブラックシリカ樹脂円柱体
１ａ１ 外面
１ｂ  本体ワイヤ通し孔
２  磁石
２ａ  ワイヤ通し孔
３  ブラックシリカ原石微粉
４  凹陥部
５  宝飾金属
５ａ  表面
６  磁気治療装身ネックレス構成体
６ａ  連接凹部
６ｂ  本体ワイヤ通し孔
７  磁気治療装身ネックレス
８  金宝飾大玉
９  金宝飾小玉
１０  金宝飾多面反射大玉
１０ａ  多区面平面
１１  金宝飾穴開き管体
１２  ワイヤ
１３  結束具